(57)【要約】【課題】極力大型化させることなく、筐体の前面にてパネルユニットを前方に傾かせた前傾姿勢とさせることのできる「パネル装置」を提供することである。【解決手段】先端部がパネルユニット１０の両側部のそれぞれの下端部に設けられた第１支点部６１ａに回動自在に係合するスライド部材２０と、第１端部がパネルユニット１０の側部の第１支点部６１ａより上方所定位置に設けられた第２支点部６２ａに係合するアーム部材４０ａと、スライド部材２０の進出及び戻り摺動に伴ってアーム部材４０ａを動かすアーム駆動機構とを有し、アーム駆動機構は、スライド部材２０の進出摺動に伴って、アーム部材４０ａを進出させつつ、第１支点部６１ａを中心にして回動させて筐体１１０に対して前方に傾斜した前傾姿勢となるようにアーム部材４０ａの第２端部６３ａを動かすパネル前傾姿勢駆動部２０１、３０１を有する構成となる。【選択図】図１０
2008062809.tif 000002
【特許請求の範囲】
【請求項１】
筐体と、
該筐体の前面に配置されたパネルユニットと、
該パネルユニットの両側部のそれぞれの下端部に設けられた第１支点部と、
前記パネルユニットの両側部のそれぞれの前記第１支点部より上方所定位置に設けられた第２支点部と、
先端部が前記第１支点部に回動自在に係合し、前記筐体における初期位置からの進出摺動及び前記初期位置への戻り摺動が可能となるスライド部材と、
第１端部が前記第２支点部に係合するアーム部材と、
前記スライド部材の進出摺動及び戻り摺動に伴って前記アーム部材を動かすアーム駆動機構とを有し、
前記アーム駆動機構は、
前記スライド部材の前記初期位置から第１位置までの進出摺動に伴って、前記アーム部材を進出させつつ、前記パネルユニットを前記筐体の前面を覆う起立姿勢から前記第１支点部を中心にして回動させて前記筐体に対して前方に傾斜した前傾姿勢となるように前記アーム部材の前記第１端部と逆側の第２端部を動かすパネル前傾姿勢駆動部を有することを特徴とするパネル装置。
【請求項２】
前記アーム駆動機構は、
前記スライド部材の前記第１位置から第２位置までの進出摺動に伴って、前記アーム部材を進出させつつ、前記パネルユニットを前記前傾姿勢から前記第１支点部を中心にして回動させて前記筐体に対して後方に傾斜させた後傾姿勢となるように前記アーム部材の前記第２端部を動かすパネル後傾駆動部を有することを特徴とする請求項１記載のパネル装置。
【請求項３】
前記アーム駆動機構は、
前記スライド部材の第２位置から更に前方への進出摺動に際して、前記アーム部材の進出を規制しつつ、前記アーム部材の前記第１端部が回動自在に係合する前記第２支点部が前記第１支点部の進出に対して従動するように前記アーム部材の前記第２端部をガイドして、前記パネルユニットが前記後傾姿勢から後方に倒れて前記筐体の前面を開放する開放姿勢となるようにしたパネル開放駆動部を有することを特徴とする請求項２記載のパネル装置。
【請求項４】
前記アーム駆動機構は、前記スライド部材に形成され、前記アーム部材の前記第２端部に設けられたピンを摺動自在にガイドするスライド部材ガイド部と、
前記筐体に固定されたブラケット部材に形成され、前記ピンを摺動自在にガイドするブラケットガイド部とを有することを特徴とする請求項１乃至３のいずれかに記載のパネル装置。
【請求項５】
前記スライド部材ガイド部は、前記ピンを前記スライド部材に対する前後方向の相対動を規制しつつ上下方向に摺動自在にガイドする上下ガイド部を有し、
前記ブラケットガイド部は、前記スライド部材の前記初期位置から前記第１位置への進出摺動とともに進出する前記上下ガイド部にガイドされた前記ピンを上方にガイドする第１傾斜移動ガイド部を有し、
前記スライド部材ガイド部の前記上下ガイド部及び前記ブラケットガイド部の前記第１傾斜移動ガイド部が前記アーム駆動機構の前記パネル前傾姿勢駆動部として機能することを特徴とする請求項４記載のパネル装置。
【請求項６】
前記ブラケットガイド部は、前記スライド部材の前記第１位置から前記第２位置への進出摺動とともに進出する前記上下ガイド部にガイドされた前記ピンを下方にガイドする第２傾斜移動ガイド部を有し、
前記スライド部材ガイド部の前記上下ガイド部及び前記ブラケットガイド部の前記第２傾斜移動ガイド部が前記アーム駆動機構の前記パネル後傾姿勢駆動部として機能することを特徴とする請求項５記載のパネル装置。
【請求項７】
前記ブラケットガイド部は、前記ピンの前後方向の移動を規制する前後規制部を有し、
前記スライド部材ガイド部は、前記前後方向の移動を規制されたピンが前記スライド部材の進出摺動を妨げないように摺動ガイドする前後ガイド部を有し、
前記スライド部材ガイド部の前記前後ガイド部及び前記ブラケットガイド部の前記前後規制部が前記アーム駆動機構の前記パネル開放駆動部として機能することを特徴とする請求項６記載のパネル装置。
【発明の詳細な説明】
【技術分野】
【０００１】
本発明は、車両に搭載されるオーディオ装置やナビゲーション装置等に適用され、複数の姿勢をとり得る表示パネルユニットや操作パネルユニット等のパネルユニットが筐体の前面に配置されたパネル装置に関する。
【背景技術】
【０００２】
車両に搭載されるオーディオ装置やナビゲーション装置には、筐体の前面に複数の傾斜姿勢をとり得る表示パネルユニットが配置された構造のものがある。そして、例えば、表示パネルユニットが車室内に露出するように前記筐体が前記インストルメントパネル内に設置される。このようなオーディオ装置やナビゲーション装置では、表示パネルユニットが乗員の見やすい角度に傾斜されるが、通常、乗員の目線が表示パネルより高い位置にあるので、前記表示パネルユニットは、後方に傾斜させた後傾姿勢にされる。
【０００３】
近年、車室内のデザインの関係上、インストルメントパネルの倒れ角度を大きくした車両がある。このような車両のインストルメントパネル内に筐体を設置することになるオーディオ装置やナビゲーション装置では、表示パネルユニットを、その上方からの乗員の目線に合わせるために、後傾姿勢ではなく、筐体に対して前方に傾斜させた前傾姿勢にさせなければならない場合がある。このようにして車両に設置しなければならないパネル装置では、筐体の前面に配置される表示パネルユニットを前傾姿勢にさせる機構が必要となる。
【０００４】
このように表示パネルユニットを前傾姿勢にさせる機構を有するパネル装置が提案されている（特許文献１参照）。この従来のパネル装置では、両側面の所定位置にて回動自在に支持された表示パネルユニットの前記支持された所定位置より下方部を本体（筐体）に引き込むことにより、前記表示パネルユニットを前傾姿勢にするようにしている。
【特許文献１】特許第３６５７０３８号公報
【発明の開示】
【発明が解決しようとする課題】
【０００５】
しかしながら、前記従来のパネル装置では、表示パネルユニットの下方部を引き込むための部材（摺動台）が筐体（本体）の奥方まで移動しなければならず、その筐体の奥行きが長くなって装置が大型化してしまう。
【０００６】
本発明は、このような事情に鑑みてなされたもので、極力大型化させることなく、筐体の前面にてパネルユニットを前方に傾かせた前傾姿勢とさせることのできるパネル装置を提供するものである。
【課題を解決するための手段】
【０００７】
本発明に係るパネル装置は、筐体と、該筐体の前面に配置されたパネルユニットと、該パネルユニットの両側部のそれぞれの下端部に設けられた第１支点部と、前記パネルユニットの両側部のそれぞれの前記第１支点部より上方所定位置に設けられた第２支点部と、先端部が前記第１支点部に回動自在に係合し、前記筐体における初期位置からの進出摺動及び前記初期位置への戻り摺動が可能となるスライド部材と、第１端部が前記第２支点部に係合するアーム部材と、前記スライド部材の進出摺動及び戻り摺動に伴って前記アーム部材を動かすアーム駆動機構とを有し、前記アーム駆動機構は、前記スライド部材の前記初期位置から第１位置までの進出摺動に伴って、前記アーム部材を進出させつつ、前記パネルユニットを前記筐体の前面を覆う起立姿勢から前記第１支点部を中心にして回動させて前記筐体に対して前方に傾斜した前傾姿勢となるように前記アーム部材の前記第１端部と逆側の第２端部を動かすパネル前傾姿勢駆動部を有する構成となる。
【０００８】
このような構成により、スライド部材が初期位置から第１位置まで進出摺動する際に、アーム部材も進出するので、パネルユニットの第１支点部及び第２支点部の双方が押出されることにより当該パネルユニット全体が筐体の前面から前方に押出される。その過程で、前記スライド部材の進出摺動に伴ってアーム部材の第２端部が動かされ、その第２端部の動きに伴った第２支点部に回動自在に係合する当該アーム部材の第１端部の動きによって前記パネルユニットが前記第１支点部を中心にして回動して前方に傾斜した前傾姿勢となる。
【０００９】
また、本発明に係るパネル装置において、前記アーム駆動機構は、前記スライド部材の前記第１位置から第２位置までの進出摺動に伴って、前記アーム部材を進出させつつ、前記パネルユニットを前記前傾姿勢から前記第１支点部を中心にして回動させて前記筐体に対して後方に傾斜させた後傾姿勢となるように前記アーム部材の前記第２端部を動かすパネル後傾駆動部を有する構成とすることができる。
【００１０】
このような構成により、スライド部材が前記第１位置から更に第２位置まで進出摺動する際に、アーム部材も更に進出するので、パネルユニットの第１支点部及び第２支点部の双方が押出されることにより当該パネルユニット全体が筐体の前面から更に前方に押出される。その過程で、前記スライド部材の進出摺動に伴ったアーム部材の第２端部が動かされ、その第２端部の動きに伴った第２支点部に回動自在に係合する当該アームの第１端部の動きによって前記パネルユニットが前記第１支点部を中心して回動して後方に傾斜した後傾姿勢となる。即ち、スライド部材が初期位置から第１位置を通って第２位置に進出摺動する際に、前記パネルユニットが前記前傾姿勢から引き続いて後傾姿勢となる。
【００１１】
また、本発明に係るパネル装置において、前記アーム駆動機構は、前記スライド部材の第２位置から更に前方への進出摺動に際して、前記アーム部材の進出を規制しつつ、前記アーム部材の前記第１端部が回動自在に係合する前記第２支点部が前記第１支点部の進出に対して従動するように前記アーム部材の前記第２端部をガイドして、前記パネルユニットが前記後傾姿勢から後方に倒れて前記筐体の前面を開放する開放姿勢となるようにしたパネル開放駆動部を有する構成とすることができる。
【００１２】
このような構成により、スライド部材が前記第２位置から更に前方に進出摺動する際に、アーム部材の進出が規制されるので、そのアーム部材の第１端部に回動自在に係合するパネルユニットの第２支点部の前方への移動が規制される。この状態で、スライド部材の更なる進出摺動により第１支点部が前方に押出される過程で、前方への移動が規制された状態の第２支点部が前記第１支点部の進出に対して従動するようにアーム部材の前記第２支点部に回動自在に係合した第１端部と逆側の第２端部がガイドされ、これにより、パネルユニットが前記後傾姿勢から更に後方に倒れて筐体の前面を開放する開放姿勢となる。
【００１３】
更に、本発明に係るパネル装置において、前記アーム駆動機構は、前記スライド部材に形成され、前記アーム部材の前記第２端部に設けられたピンを摺動自在にガイドするスライド部材ガイド部と、前記筐体に固定されたブラケット部材に形成され、前記ピンを摺動自在にガイドするブラケットガイド部とを有する構成とすることができる。
【００１４】
このような構成により、アーム部材の第２端部に設けられたピンが、進出摺動及び戻り摺動を行なうスライド部材に形成されたスライド部材ガイド部と、筐体に固定されたブラケット部材に形成されたブラケットガイド部との双方にてガイドされるようになっているので、スライド部材の進出摺動及び戻り摺動に伴って前記パネルユニットが前傾姿勢、後傾姿勢及び開放姿勢のいずれかとなるように前記アーム部材を動かすことができるようになる。
【００１５】
また、本発明に係るパネル装置において、前記スライド部材ガイド部は、前記ピンを前記スライド部材に対する前後方向の相対動を規制しつつ上下方向に摺動自在にガイドする上下ガイド部を有し、前記ブラケットガイド部は、前記スライド部材の前記初期位置から前記第１位置への進出摺動とともに進出する前記上下ガイド部にガイドされた前記ピンを上方にガイドする第１傾斜移動ガイド部を有し、前記スライド部材ガイド部の前記上下ガイド部及び前記ブラケットガイド部の前記第１傾斜移動ガイド部が前記アーム駆動機構の前記パネル前傾姿勢駆動部として機能する構成とすることができる。
【００１６】
このような構成により、アーム部材の第２端部に設けられたピンがスライド部材ガイド部の上下ガイド部によってスライド部材に対する前後方向の相対動が規制されるので、スライド部材の進出摺動ともに前記アーム部材が進出するようになる。そして、そのようにアーム部材が進出する過程で、前記アーム部材のピンが、進出摺動するスライド部材に形成されたスライド部材ガイド部の上下ガイド部及びブラケットに形成されたブラケットガイド部の第１傾斜移動ガイド部の双方にて上方にガイドされるようになる。これにより、アーム部材は進出しつつ第２端部が上方に向けて移動するようになり、その第２端部の動きに応じたアーム部材の逆側の第１端部（第１支点部に回動自在に係合）の動きによって、パネルユニットが第１支点部を中心にして回動して筐体に対して前方に傾斜した前傾姿勢となり得る。
【００１７】
また、本発明に係るパネル装置において、前記ブラケットガイド部は、前記スライド部材の前記第１位置から前記第２位置への進出摺動とともに進出する前記上下ガイド部にガイドされた前記ピンを下方にガイドする第２傾斜移動ガイド部を有し、前記スライド部材ガイド部の前記上下ガイド部及び前記ブラケットガイド部の前記第２傾斜移動ガイド部が前記アーム駆動機構の前記パネル後傾姿勢駆動部として機能する構成とすることができる。
【００１８】
このような構成により、アーム部材の第２端部に設けられたピンがスライド部材ガイド部の上下ガイド部によってスライド部材に対する前後方向の相対動が規制されるので、スライド部材の前記第１位置から第２位置への進出摺動とともに前記アーム部材は更に進出する。そして、そのようにアーム部材が進出する過程で、前記アーム部材のピンが、進出摺動するスライド部材に形成されたスライド部材ガイド部の上下ガイド部及びブラケットに形成されたブラケットガイド部の第２傾斜移動ガイド部の双方にて下方にガイドされるようになる。これにより、アーム部材は進出しつつ第２端部が下方に向けて移動するようになり、その第２端部の動きに応じたアーム部材の逆側の第１端部（第１支点部に回動自在に係合）の動きによって、パネルユニットが第１支点部を中心にして回動して筐体に対して後方に傾斜した後傾姿勢となり得る。
【００１９】
また、本発明に係るパネル装置において、前記ブラケットガイド部は、前記ピンの前後方向の移動を規制する前後規制部を有し、前記スライド部材ガイド部は、前記前後方向の移動を規制されたピンが前記スライド部材の進出摺動を妨げないように摺動ガイドする前後ガイド部を有し、前記スライド部材ガイド部の前記前後ガイド部及び前記ブラケットガイド部の前記前後規制部が前記アーム駆動機構の前記パネル開放駆動部として機能する構成とすることができる。
【００２０】
このような構成により、ブラケットに形成されたブラケットガイド部の規制部によってアーム部材の第２端部に設けられたピンの前後方向の移動が規制されるので、アーム部材の進出が規制され、その結果、そのアーム部材の第１端部に回動自在に係合するパネルユニットの第２支点部の前方への移動が規制される。この状態で、スライド部材の更なる進出摺動により第１支点部が前方に押出される過程で、前後方向の移動を規制されたピンが前記スライド部材の進出摺動を妨げないように摺動ガイドされるので、前方への移動が規制された状態の第２支点部が前記第１支点部の進出に対して従動し得るようになり、これによって、パネルユニットが更に倒れて筐体の前面を開放する開放姿勢となり得る。
【発明の効果】
【００２１】
本発明に係るパネル装置によれば、スライド部材が進出摺動する際に、その進出摺動に伴うアーム部材の動きによってパネルユニットが進出しつつ前傾姿勢となるので、従来のように筐体内にパネルユニットの下端部を引き込むための機構を必要としない。そのため、パネルユニットの下端部を引き込むための部材（機構）を筐体の奥方まで移動させる必要がなく、その部材（機構）のために筐体の奥行きの長さを延ばす必要もない。従って、極力大型化させることなく、筐体の前面にてパネルユニットを前方に傾かせた前傾姿勢とさせることができるようになる。
【発明を実施するための最良の形態】
【００２２】
以下、本発明の実施の形態について、図面を用いて説明する。
【００２３】
本発明の実施の一形態に係るパネル装置の外観は、図１乃至図４に示される。図１は、表示パネルユニットが起立姿勢となるパネル装置を示す図であり、図２は、表示パネルユニットが前傾姿勢となるパネル装置を示す図であり、図３は、表示パネルユニットが後傾姿勢となるパネル装置を示す図であり、図４は、表示パネルユニットが開放姿勢となるパネル装置を示す図である。なお、この実施の形態に係るパネル装置は、車両に搭載されるオーディオ装置に適用されたものである。
【００２４】
図１乃至図４において、このパネル装置１００は、筐体１１０の前面に表示パネルユニット１０が配置されている。この表示パネルユニット１０は、ＬＣＤ等の表示装置を内蔵し、その表示画面１０ａ（ＬＣＤ等の表示面）に必要な情報の表示がなされる。また、表示画面１０ａの枠部分には開閉ボタン１１が設けられている。筐体１１０の前面にはディスク挿入口１１２の形成されたエスカッション１１１が設けられている。例えば、パネル装置１００が使用されていない状態で、図１に示すように、表示パネルユニット１０は、表示画面１０ａを前方に向けてエスカッション１１１を完全に覆った起立姿勢となる。表示パネルユニット１０は、エスカッション１１１の両側部に形成された通孔１１３ａ、１１３ｂを通して進出摺動及び戻り摺動可能なスライド部材３０（なお、図２〜図４では、スライド部材３０のスライドサイド起立板３３ａが表れている）及びスライド部材３０に伴って動くアーム部材４０ａ（４０ｂ：図示略）によって、図２に示すような前方に傾斜した前傾姿勢、図３に示すような後方に傾斜した後傾姿勢、及び図４に示すようなエスカッション１１１を開放してディスク挿入口１１２を露出させる開放姿勢となり得る。
【００２５】
更に、図５乃至図８を参照して、パネル装置１００において前述したような複数の姿勢をとり得る表示パネルユニット１０の駆動機構を説明する。図５は、表示パネルユニット１０が起立姿勢（図１参照）となるパネル装置１００内部を側方から見た透視図であり、図６は、表示パネルユニット１０が起立姿勢となるパネル装置１００内部の平面図であり、図７は、表示パネルユニット１０が開放姿勢（図４参照）となるパネル装置１００内部を側方から見た透視図であり、図８は表示パネルユニット１０が開放姿勢となるパネル装置１００内部の平面図である。なお、図５及び図７では、重なり合う各部材を明確にするために各部材を表す線種を、実線、破線、細破線のように分けている。また、図６及び図８では、重なり合う各部材を全て実線で表している。
【００２６】
図５乃至図８において、筐体１００の底板１１４にその側辺に沿って延びるブラケット２０ａ、２０ｂが固定されている。各ブラケット２０ａ、２０ｂは、底板１１４に固定される固定板２１ａ、２１ｂと固定板２１ａ、２１ｂの外側縁にて立ち上がるブラケットサイド起立板２２ａ、２２ｂとから構成されている。両ブラケット２０ａ、２０ｂのブラケットサイド起立板２２ａ、２２ｂの間にスライド部材３０が配置されている。このスライド部材３０は、略コ字状の平面形状を有し（図８参照）、その前方辺３１の両端部から後方（図８における下方向）に延びるようにサイド摺動板３２ａ、３２ｂが形成されている。また、各サイド摺動板３２ａ、３２ｂの外側縁から立ち上がるようにスライドサイド起立板３３ａ、３３ｂが形成されている。
【００２７】
スライド部材３０は、各サイド摺動板３２ａ、３２ｂが対応するブラケット２０ａ、２０ｂの固定板２１ａ、２１ｂの表面を、また、各スライドサイド起立板３３ａ、３３ｂが対応するブラケット２０ａ、２０ｂのブラケットサイド起立板２２ａ、２２ｂの表面をそれぞれ摺動するようになっている。スライド部材３０の各サイド摺動板３２ａ、３２ｂには、所定長のガイド溝３５ａ、３５ｂが形成され、対応するブラケット２０ａ、２０ｂの固定板２１ａ、２１ｂに設けられたガイドピン２３ａ、２３ｂがガイド溝３５ａ、３５ｂに摺動自在に嵌り込んでいる。また、スライド部材３０の各スライドサイド起立板３３ａ、３３ｂの所定位置にはガイドピン６４ａ、６４ｂが外方に向けて突出するように設けられており、各ガイドピン６４ａ、６４ｂが対応するブラケット２０ａ、２０ｂのブラケットサイド起立板２２ａ、２２ｂに前後方向に延びるように形成されたガイド溝２１０（図５及び図７参照）に摺動自在に嵌り込んでいる。このように、ガイドピン２３ａ、２３ｂがガイド溝３５ａ、３５ｂにガイドされつつ、また、ガイドピン６４ａ、６４ｂがガイド溝２１０にガイドされつつ、スライド部材３０は、両ブラケット部材２０ａ、２０ｂに挟まれた状態で進出摺動及び戻り摺動可能となる。
【００２８】
一方のブラケット２０ａの固定板２１ａの前端部には、ブラケットサイド起立板２２ａに対向するように取付け板２５が形成されており、その取付け板２５にモータ５０が取り付け固定されている。また、スライド部材３０の前記一方のブラケット２０ａに対応したサイド摺動板３２ａの内側縁にはラックギア３４が形成されている。前記ブラケット２０ａ（固定板２１ａ）にはギア列５２、５３、５４、５５が設けられており、そのギア列の一方端に位置するギア５２がモータ５０の回転軸に装着されたウォームギア５１に噛合い、前記ギア列の他方端に位置するギア５５がラックギア３４に噛合っている。これにより、モータ５０が正回転及び逆回転すると、その回転がウォームギア５１からギア列５２〜５５を介してラックギア３４に伝達され、そのラックギア３４の形成されたスライド部材３０が進出摺動及び戻り摺動するようになる。
【００２９】
また、図６及び図８に示すように、ブラケット２０ｂの固定板２１ｂの後端部に形成された引掛け部とスライド部材３０のスライドサイド起立板３３ｂから突出する引掛け部との間に引張りコイルバネ６５が設けられている。この引張りコイルバネ６５により、スライド部材３０が筐体１１０の奥方に向けて常時付勢された状態となっている。このようにスライド部材３０が常時付勢されることにより、スライド部材３０を筐体１１０の奥方へ戻り摺動させる際に（表示パネルユニット１０を引き起こす際に）、その駆動源となるモータ５０にかかる付加が軽減されるようになる。また、起立及び傾斜姿勢となる表示パネルユニット１０を、いずれの位置においても筐体１１０の内外方向に対してガタツキ少なく支持することができるようになる。
【００３０】
筐体１１０の底板１１４の前方部分には制御回路基板７０が固定されている（図６、図８参照）。制御回路基板７０には、端子７１、７２、第１位置検出スイッチ７３（プッシュ型スイッチ）及び第２位置検出スイッチ７４（プッシュ型スイッチ）が設けられると共に、モータ５０の駆動制御を行なう電子部品（図示略）が搭載されている。また、モータ５０の回転とともに回転するギア列５２〜５５のうちのギア５４に噛合うギア部を有し、その回転量を検出する回転センサ５６が底板１１４の所定部位に固定されている。モータ５０のリード線が制御回路基板７０の端子７１に接続され、回転センサ５６の出力リード線が端子７２に接続されている。また、第１位置検出スイッチ７３は、スライド部材３０が筐体１１０の最奥位置となるときに前方片３１の内側端部３１１にて押動（ＯＮ動作）される位置（図６参照）に設けられており、第２位置検出スイッチ７４は、スライド部材３０が筐体１１０から進出して最進出位置となるときにスライド部材３０の一方のサイド摺動板３２ｂに一体成形された突出部３２１にて押動（ＯＮ動作）される位置（図８参照）に設けられている。
【００３１】
制御回路基板７０に搭載された電子部品にて構成される制御回路は、開閉ボタン１１（図１乃至図４参照）の操作に基づいて、表示パネルユニット１０を開放、閉鎖させる、即ち、スライド部材３０を進出、後退させるために、モータ５０への通電制御を行なう。そして、その制御回路は、第１位置検出スイッチ７３が押動されてＯＮ動作したときに、また、第２位置検出スイッチ７４が押動されてＯＮ動作したときに、モータ５０への通電を遮断する。また、前記制御回路は、回転センサ５６からの回転量信号に基づいてスライド部材３０の進出位置、即ち、そのスライド部材３０の進出位置に応じた表示パネルユニット１０の傾斜姿勢を判定する。
【００３２】
なお、ブラケット２０ｂの固定板２１ｂにはガイドローラ２４、２７（図８参照）が設けられており、スライド部材３０が進出摺動及び戻り摺動する際に、サイド摺動板３２ｂの内側縁が前記ガイドローラ２４、２７によってガイドされる。また、ブラケット２０ａの固定板２１ａの後端部には規制ローラ２６が設けられており（図８参照）、スライド部材３０が初期位置に戻った際に、スライド部材３０のサイド摺動板３２ａの後端内縁が規制ローラ２６に当接して、スライド部材３０のそれ以上の筐体１１０奥方への移動が規制される。
【００３３】
特に図５及び図７を参照するに、各ブラケット２０ａ、２０ｂのブラケットサイド起立板２２ａ、２２ｂ及び、スライド部材３０の各スライドサイド起立板３３ａ、３３ｂには種々のガイド溝が形成されている。なお、図５及び図７では、一方のブラケットサイド起立板２２ａ及びスライドサイド起立板３３ａについて示されているが、他方のブラケットサイド起立板２２ｂ及びスライドサイド起立板３３ｂについても同様にガイド溝が形成されている。
【００３４】
図５及び図７において、ブラケットサイド起立板２２ａには、その前方所定部位に山形形状のブラケットガイド溝２００が形成されている。このブラケットガイド溝２００は、後方から前方に向かって立ち上がるように傾斜した第１傾斜移動ガイド溝部２０１と、それに続いて筐体１１０の底板１１４と平行に僅かな長さだけ延びる頂点ガイド溝部２０２と、それに続いて後方から前方に向かって立ち下がるように傾斜した第２傾斜移動ガイド溝部２０３と、それに続いて筐体１１０の底板１１４に対して垂直に延びる移動規制ガイド溝部２０４とから構成されている。また、スライドサイド起立板３３ａには、スライド部材ガイド溝３００が形成されている。このスライド部材ガイド溝３００は、筐体１１０の底板１１４に対して垂直に延びる上下ガイド溝部３０１と、それに続いて筐体１１０の底板１１４と平行となるように後方に向けて延びる水平ガイド溝部３０２と、それに続いて後方に向かって僅かに立ち下がるように傾斜した傾斜ガイド溝部３０３と、それに続いて筐体１１０の底板１１４と平行に僅かな長さだけ延びる終端ガイド溝部３０４とから構成されている。
【００３５】
スライド部材３０の両スライドサイド起立板３３ａ、３３ｂの先端部が表示パネルユニット１０の両側部の下端部に第１支持ピン６１ａ、６１ｂによって回動自在に結合されている。また、略へ字状に屈曲した形状のアーム部材４０ａ、４０ｂがスライド部材３０の両スライドサイド起立板３３ａ、３３ｂの内側に配置され、両アーム部材４０ａ、４０ｂの第１端部が、表示パネルユニット１０の両側部の前記スライドサイド起立板３３ａ、３３ｂの先端部との結合位置より上方所定位置に第２支持ピン６２ａ、６２ｂによって回動自在に結合されている。第１支持ピン６１ａ、６１ｂが第１支点部となり、第２支持ピン６２ａ、６２ｂが第２支点部となって、表示パネルユニット１０が、スライド部材３０の両スライドサイド起立板３３ａ、３３ｂ及び両アーム部材４０ａ、４０ｂによって揺動可能に支えられている。各アーム部材４０ａ、４０ｂの前記第１端部と逆側の第２端部には端末ピン６３ａ、６３ｂが設けられている。各端末ピン６３ａ、６３ｂは、ブラケット２０ａ、２０ｂのブラケットサイド起立板２２ａ、２２ｂに形成されたブラケットガイド溝２００と、スライドサイド起立板３３ａ、３３ｂに形成されたスライド部材ガイド溝３００とに摺動自在に嵌り込んでいる（図５、図７参照）。
【００３６】
前述したような構造のパネル装置１００における表示パネルユニット１０の動きについて説明する。
【００３７】
表示パネルユニット１０が、起立姿勢となって、筐体１１０の前面に設けられたエスカッション１１１を覆う状態（図１参照）では、図５及び図６に示すように、スライド部材３０（図５における細破線参照）が筐体１１０の最も奥方に引き込まれた状態（最奥方位置）となる。この状態で、アーム部材４０ａ、４０ｂ（図５における破線参照）の第２端部に設けられた端末ピン６３ａ、６３ｂは、ブラケット２０ａ、２０ｂ（図５における実線参照）のブラケットサイド起立板２２ａ、２２ｂに形成されたブラケットガイド溝２００における第１傾斜移動ガイド溝部２０１の端部に位置するとともに、スライド部材３０のスライドサイド起立板３３ａ、３３ｂに形成されたスライド部材ガイド溝３００における上下ガイド溝部３０１の水平ガイド溝部３０２との隣接部位に位置している。なお、このとき、第１位置検出スイッチ７３は、スライド部材３０の前方片３１の内側端部３１１にて押動されて、ＯＮ状態となっている。制御回路基板７０に構成される制御回路（以下、この制御回路についても参照番号７０にて指示する）は、第１検出スイッチ７３のＯＮ状態に基づいてスライド部材３０が最奥方位置にあること、即ち、表示パネルユニット１０が起立状態となることを認識している。
【００３８】
このような状態から、表示パネルユニット１０に設けられた開閉ボタン１１の操作がなされると、制御回路７０はモータ５０に対して正回転するように給電する。モータ５０が正回転すると、その回転力がウォームギア５１からギア列５２〜５５を介してラックギア３４に伝達し、スライド部材３０が最奥方位置（図５、図６に示す位置）から進出摺動する。このとき、図９に示すように、アーム部材４０ａ、４０ｂの端末ピン６３ａ、６３ｂがスライド部材ガイド溝３００の上下ガイド溝部３０１によってスライド部材３０に対する前後方向の相対動が規制されるので、スライド部材３０の進出摺動とともにアーム部材４０ａ、４０ｂが進出するようになる。そして、そのようにアーム部材４０ａ、４０ｂが進出する過程で、アーム部材４０ａ、４０ｂの端末ピン６３ａ、６３ｂが、スライド部材３０（スライドサイド起立板３３ａ、３３ｂ）に形成されたスライド部材ガイド溝３００の上下ガイド溝部３０１及びブラケット２０ａ、２０ｂ（ブラケットサイド起立板２２ａ、２２ｂ）に形成されたブラケットガイド溝２００の第１傾斜移動ガイド溝部２０１の双方にて上方に向けてガイドされる。
【００３９】
これにより、アーム部材４０ａ、４０ｂは進出しつつ端末ピン６３ａ、６３ｂの設けられた第２端部が上方に向けて移動するようになり、その第２端部の動きに応じたアーム部材４０ａ、４０ｂの逆側の第１端部の動きによってその第１端部に設けられた第２支持ピン６２ａ、６２ｂを介して表示パネルユニット１０が押出されるようになる。その結果、スライド部材３０のスライドサイド起立板３３ａ、３３ｂの先端部を表示パネルユニット１０の側部に回動自在に結合させる第１支持ピン６１ａ、６１ｂ（第１支点部）を中心にして表示パネルユニット１０が前方に傾斜するように回動していく。
【００４０】
そして、スライド部材３０が所定位置（第１位置）まで進出摺動して、端末ピン６３ａ、６３ｂが、図１０に示すように、スライド部材ガイド溝３００の上下ガイド溝部３０１の上端部に達するとともに、ブラケットガイド溝２００の第１傾斜移動ガイド溝部２０１から頂点ガイド溝部２０２に達すると、表示パネルユニット１０は筐体１１０に対して前方に所定角度傾斜した前傾姿勢となる（図２参照）。なお、制御回路７０は、スライド部材３０が最奥位置からの進出によって第１位置検出センサ７３がＯＦＦしてから回転センサ５６から出力される回転量信号に基づいてスライド部材３０の進出位置（第１位置）、即ち、表示パネルユニット１０の前傾姿勢を認識している。そして、表示パネルユニット１０の前傾姿勢を維持する場合には、制御回路７０は、スライド部材３０が第１位置にあることを認識した際に、モータ５０に対する給電を遮断する。
【００４１】
制御回路７０から継続的にモータ５０への給電がなされると、表示パネルユニット１０が前傾姿勢となる状態から、モータ５０が更に正回転し、スライド部材３０が更に進出摺動する。すると、図１１に示すように、アーム部材４０ａ、４０ｂの端末ピン６３ａ、６３ｂがスライド材３０に形成されたスライドガイド溝３００の上下ガイド溝３０１によって依然スライド部材３０に対する前後方向の相対動が規制された状態にあるので、スライド部材３０の進出摺動とともにアーム部材４０ａ、４０ｂも更に進出する。そして、そのようにアーム部材４０ａ、４０ｂが進出する過程で、アーム部材４０ａ、４０ｂの端末ピン６３ａ、６３ｂがスライド部材ガイド溝３００の上下ガイド溝３０１及びブラケットガイド溝２００の頂点ガイド溝部２０２から移った第２傾斜移動ガイド溝部２０３の双方にて下方に向けてガイドされる。
【００４２】
これにより、アーム部材４０ａ、４０ｂは進出しつつ端末ピン６３ａ、６３ｂの設けられた第２端部が下方に向けて移動するようになり、その第２端部の動きに応じたアーム部材４０ａ、４０ｂの逆側の第２端部の動きによってその第１端部に設けられた第２支持ピン６２ａ、６２ｂを介して表示パネルユニット１０が引き戻されるようになる。その結果、スライド部材３０のスライドサイド起立版３３ａ、３３ｂの先端部を表示パネルユニット１０の側部に回動自在に結合させる第１支持ピン６１ａ、６１ｂ（第１支点部）を中心にして表示パネルユニット１０が、前述した場合（図９参照）とは逆に、後方に傾斜するように回動していく。
【００４３】
そして、スライド部材３０が所定位置（第２位置）まで進出摺動して、端末ピン６３ａ、６３ｂが図１２に示すように、スライド部材ガイド溝３００の上下ガイド溝部３０１と水平ガイド溝部３０２との境界部に達するとともに、ブラケットガイド溝２００の第２傾斜移動ガイド溝部２０３と移動規制ガイド溝部２０４との境界部に達すると、表示パネルユニット１０は筐体１１０に対して後方に所定角度傾斜した後傾斜姿勢となる（図３参照）。なお、制御回路７０は、更に回転センサ５６から出力される回転量信号に基づいてスライド部材３０の進出位置（第２位置）、即ち、表示パネルユニット１０の後傾姿勢を認識している。そして、表示パネルユニット１０の後傾姿勢を維持する場合には、制御回路７０は、スライド部材３０が第２位置にあることを認識した際に、モータ５０に対する給電を遮断する。
【００４４】
制御回路７０から継続的にモータ５０への給電がなされると、表示パネルユニット１０が後傾姿勢となる状態から、モータ５０が更に正回転し、スライド部材３０が更に進出摺動する。すると、図１３に示すように、ブラケット２０ａ、２０ｂ（ブラケットサイド起立板２２ａ、２２ｂ）に形成されたブラケットガイド溝２００の規制部２０４によってアーム部材４０ａ、４０ｂの第２端部に設けられた端末ピン６３ａ、６３ｂの前後方向の移動が規制されるので、アーム部材４０ａ、４０ｂの移動（進出）が規制される。その結果、アーム部材４０ａ、４０ｂの第１端部を表示パネルユニット１０の側部に回動自在に結合させる第２支持ピン６２ａ、６２ｂの前方への移動が規制される。この状態で、スライド部材３０の更なる進出摺動により第１支持ピン６１ａ、６２が押出される過程で、図１３及び図１４に示すように、スライド部材３０の進出摺動を妨げることなく前方への移動が規制された第２支持ピン６２ａ、６２ｂが第１支持ピン６１ａ、６１に対して従動するように、アーム部材４０ａ、４０ｂの第２端部に設けられた端末ピン６３ａ、６３ｂがスライド部材３０（スライドガイドサイド起立板３３ａ、３３ｂ）に形成されたスライド部材ガイド溝３００の水平ガイド溝部３０２に摺動ガイドされる。これにより、スライド部材３０の進出摺動に伴って、アーム部材４０ａ、４０ｂが端末ピン６３ａ、６３ｂの設けられた第２端部を中心に、第２支持ピン６２ａ、６２ｂの設けられた第１端部が下方に移動するように回動し、それによって、表示パネルユニット１０が更に倒れていく。
【００４５】
そして、スライド部材３０の更なる進出摺動によって第１支持ピン６１ａ、６１ｂが更に押出される過程で、図１５及び図１６に示すように、スライド部材３０の進出摺動を妨げることなく第２支持ピン６２ａ、６２ｂが第１支持ピン６１ａ、６１ｂに対して従動すするように、アーム部材４０ａ、４０ｂの第２端部に設けられた端末ピン６３ａ、６３ｂが更にスライド部材３０に形成されたスライド部材ガイド溝部３００の傾斜ガイド部３０２に摺動ガイドされる。これにより、スライド部材３０の進出摺動に伴って、アーム部材４０ａ、４０ｂが端末ピン６３ａ、６３ｂの設けられた第２端部を中心に、更に第２支持ピン６２ａ、６２ｂの設けられた第１端部が下方に移動するように回動し、それによって、表示パネルユニット１０が更に倒れていく。
【００４６】
そして、図７及び図８に示すように、スライド部材３０が最進出位置まで進出摺動して、アーム部材４０ａ、４０ｂの第２端部に設けられた端末ピン６３ａ、６３ｂがスライド部材ガイド溝部３００の終端ガイド溝部３０４までガイドされると、アーム部材４０ａ、４０ｂの第１端部に設けられた第２支持ピン６２ａ、６２の第１支持ピン６１ａ、６１ｂに対する従動の限界に達する。このとき、スライド部材３０（サイド摺動板３２ｂ）に形成された突出部３２１が第２位置検出スイッチ７４を押動し、この第２位置検出スイッチ７４がＯＮ動作する。これにより、制御回路基板７０はモータ５０への給電を遮断し、モータ５０が停止する。この状態で、表示パネルユニット１０は、筐体１１０のエスカッション１１１を開放する開放姿勢となる（図４参照）。なお、第２位置検出スイッチ７４のＯＮ動作によってモータ５０への給電を遮断した制御回路７０は、第２位置検出スイッチ７４のＯＮ動作に基づいて表示パネルユニット１０が開放姿勢となることを認識している。
【００４７】
前述したような実施の形態に係るパネル装置によれば、スライド部材３０が進出摺動する際に、その進出摺動に伴うアーム部材４０ａ、４０ｂの動きによって表示パネルユニッと１０が進出しつつ前傾姿勢となるので（図５、図６、図９、図１０参照）、従来のように筐体１１０内に表示パネルユニット１０の下端部を引き込むための機構を必要としない。そのため、表示パネルユニッと１０の下端部を引き込むための部材（機構）を筐体１１０の奥方まで移動させる必要がなく、その部材のために筐体１１０の奥行きの長さを延ばす必要もない。従って、装置（筐体１１０）を大型化させることなく、筐体１１０の前面に表示パネルユニット１０を前方に傾かせた前傾姿勢にさせることができるようになる。
【００４８】
更に、そのスライド部材３０の進出摺動を継続させることにより、表示パネルユニット１０は、順次、後方に傾いた後傾姿勢（図１２参照）、筐体１１０の前面を開放する開放姿勢（図７、図８参照）となる。
【００４９】
なお、スライド部材３０が筐体１１０内に戻り摺動すると、各部が前述したのと逆方向に駆動し、その結果、表示パネルユニット１０は、開放姿勢から、後傾姿勢、前傾姿勢、起立姿勢の順にその姿勢を変化させる。
【００５０】
前述したようなパネル装置１００は、例えば、図１７乃至図１９に示すように、車両のインストルメントパネル５００内に設置される。即ち、図１７に示すように、倒れ角度の比較的大きいインストルメントパネル５００内に起立姿勢（図１参照）となる表示パネルユニット１０の表示画面１０ａがインストルメントパネル５００の表面と揃うように筐体１１０が設置される。そして、乗員が表示パネルユニット１０を利用する場合、図１８に示すように、上方からの乗員の目線（破線ブロック矢印参照）に合わせるために当該表示パネルユニット１０が筐体１０に対して前方に傾斜させた前傾姿勢にされる。これにより、乗員は、上方からの目線によって表示画面１０ａに表示された情報を容易に視認することができるようになる。なお、筐体１１０内に設けられたディスク装置（図示略）にディスクＤを挿入する場合、あるいは、ディスクＤを排出する場合、図１９に示すように、表示パネルユニット１０が開放姿勢にされる。これにより、筐体１１０のエスカッション１１１に形成されたディスク挿入口１１２が露出するようになり（図４参照）、その状態で、ディスクＤが上方から斜めにディスク挿入口１１２に挿入され、あるいは、斜め上方に向けて排出される。
【産業上の利用可能性】
【００５１】
本発明に係るパネル装置は、極力大型化させることなく、筐体の前面にてパネルユニットを前方に傾かせた前傾姿勢とさせることのできるという効果を有し、車両に搭載されるオーディオ装置やナビゲーション装置等に適用され、複数の姿勢をとり得る表示パネルユニットや操作パネルユニット等のパネルユニットが筐体の前面に配置されたパネル装置として有用である。
【図面の簡単な説明】
【００５２】
【図１】本発明の実施の形態に係るパネル装置の表示パネルユニットが起立姿勢となる状態を示す外観斜視図である。
【図２】本発明の実施の形態に係るパネル装置の表示パネルユニットが前傾姿勢となる状態を示す外観斜視図である。
【図３】本発明の実施の形態に係るパネル装置の表示パネルユニットが後傾姿勢となる状態を示す外観斜視図である。
【図４】本発明の実施の形態に係るパネル装置の表示パネルユニットが開放姿勢となる状態を示す外観斜視図である。
【図５】表示パネルユニットが起立姿勢となるパネル装置内部を側方から見た透視図である。
【図６】表示パネルユニットが起立姿勢となるパネル装置内部の平面図である。
【図７】表示パネルユニットが開放姿勢となるパネル装置内部を側方から見た透視図である。
【図８】表示パネルユニットが開放姿勢となるパネル装置内の平面図である。
【図９】表示パネルユニットが起立姿勢から前傾姿勢に至る途中の姿勢となるパネル装置内部を側方から見た透視図である。
【図１０】表示パネルユニットが前傾姿勢となるパネル装置内部を側方から見た透視図である。
【図１１】表示パネルユニットが前傾姿勢から後傾姿勢に至る途中の姿勢となるパネル装置内部を側方から見た透視図である。
【図１２】表示パネルユニットが後傾姿勢となるパネル装置内部を側方から見た透視図である。
【図１３】表示パネルユニットが後傾姿勢から開放姿勢に至る途中の姿勢（その１）となるパネル装置内部を側方から見た透視図である。
【図１４】表示パネルユニットが後傾姿勢から開放姿勢に至る途中の姿勢（その２）となるパネル装置内部を側方から見た透視図である。
【図１５】表示パネルユニットが後傾姿勢から開放姿勢に至る途中の姿勢（その３）となるパネル装置内部を側方から見た透視図である。
【図１６】表示パネルユニットが後傾姿勢から開放姿勢に至る途中の姿勢（その４）となるパネル装置内部を側方から見た透視図である。
【図１７】傾斜したインストルメントパネル内に設置されたパネル装置の表示パネルユニットが起立姿勢となる状態を示す図である。
【図１８】傾斜したインストルメントパネル内に設置されたパネル装置の表示パネルユニットが前傾姿勢となる状態を示す図である。
【図１９】傾斜したインストルメントパネル内に設置されたパネル装置の表示パネルユニットが開放姿勢となる状態を示す図である。
【符号の説明】
【００５３】
１０  表示パネルユニット
１０ａ  表示画面
２０ａ、２０ｂ  ブラケット
２１ａ、２１ｂ  固定板
２２ａ、２２ｂ  ブラケットサイド起立板
２３ａ、２３ｂ  ガイドピン
２４、２７  ガイドローラ
２５  取付け板
２６  規制ローラ
３０  スライド部材
３１  前方辺
３２ａ、３２ｂ  サイド摺動版
３３ａ、３３ｂ  スライドサイド起立板
３４  ラックギア
３５ａ、３５ｂ  ガイド溝
４０ａ、４０ｂ  アーム部材
５０  駆動モータ
５１  ウォームギア
５２、５３、５４、５５  ギア
５６  回転センサ
６１ａ、６１ｂ  第１支持ピン
６２ａ、６２ｂ  第２支持ピン
６３ａ、６３ｂ  端末ピン
６４ａ、６４ｂ  ガイドピン
６５  引張りコイルバネ
７０  モータ制御回路基板（制御回路）
７１、７２  端子
７３  第１位置検出スイッチ
７４  第２位置検出スイッチ
１００  パネル装置
１１０  筐体
１１１  エスカッション
１１２  ディスク挿入口
１１３ａ、１１３ｂ  通孔
２００  ブラケットガイド溝
２０１  第１傾斜移動ガイド溝部
２０２  頂点ガイド溝部
２０３  第２傾斜移動ガイド溝部
２０４  移動規制ガイド溝部
２１０  ガイド溝
３００  スライド部材ガイド溝
３０１  上下ガイド溝部
３０２  水平ガイド溝部
３０３  傾斜ガイド溝部
３０４  終端ガイド溝部
【図１】
2008062809.tif 000003
【図２】
2008062809.tif 000004
【図３】
2008062809.tif 000005
【図４】
2008062809.tif 000006
【図５】
2008062809.tif 000007
【図６】
2008062809.tif 000008
【図７】
2008062809.tif 000009
【図８】
2008062809.tif 000010
【図９】
2008062809.tif 000011
【図１０】
2008062809.tif 000012
【図１１】
2008062809.tif 000013
【図１２】
2008062809.tif 000014
【図１３】
2008062809.tif 000015
【図１４】
2008062809.tif 000016
【図１５】
2008062809.tif 000017
【図１６】
2008062809.tif 000018
【図１７】
2008062809.tif 000019
【図１８】
2008062809.tif 000020
【図１９】
2008062809.tif 000021